【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
広角動画から複数の範囲を切り出した複数の切り出し画像を同時に表示させる
画像表示装置。
【請求項２】
前記複数の範囲は、前記広角動画の撮影時に検出されたセンサデータに基づき決定される
請求項１に記載の画像表示装置。
【請求項３】
前記複数の範囲は、前記広角動画を撮影した撮影装置の進行方向に対応する範囲である
請求項２に記載の画像表示装置。
【請求項４】
前記複数の範囲は、前記進行方向と反対の方向に対応する少なくとも１つの範囲を含む
請求項３に記載の画像表示装置。
【請求項５】
前記複数の範囲は、音源の方向に対応する少なくとも１つの範囲を含む
請求項２に記載の画像表示装置。
【請求項６】
前記複数の範囲は、前記音源の方向と反対の方向に対応する少なくとも１つの範囲を含む
請求項５に記載の画像表示装置。
【請求項７】
前記複数の範囲のうちの少なくとも２つの範囲が重なる
請求項１または２に記載の画像表示装置。
【請求項８】
前記複数の範囲のうちの少なくとも１つの範囲は、前記広角動画の撮影時の人の画像を含む範囲である
請求項１，２、または７に記載の画像表示装置。
【請求項９】
前記複数の範囲のうちの少なくとも１つの範囲は、前記広角動画の撮影時の動きが大きい被写体を含む範囲である
請求項１，２、または７に記載の画像表示装置。
【請求項１０】
広角動画から複数の範囲を切り出し、
複数の切り出し画像を同時に表示する
ステップを含む画像表示方法。
【請求項１１】
広角動画から複数の範囲を切り出し、
複数の切り出し画像を同時に表示する
ステップを含む処理をコンピュータに実行させるプログラム。
【手続補正２】
【補正対象書類名】明細書
【補正対象項目名】発明の名称
【補正方法】変更
【補正の内容】
【発明の名称】画像表示装置、画像表示方法、およびプログラム
【手続補正３】
【補正対象書類名】明細書
【補正対象項目名】０００１
【補正方法】変更
【補正の内容】
【０００１】
本技術は、画像表示装置、画像表示方法、およびプログラムに関し、特に、広い画角の画像を効率的に見ることができるようにした画像表示装置、画像表示方法、およびプログラムに関する。
【手続補正４】
【補正対象書類名】明細書
【補正対象項目名】０００７
【補正方法】変更
【補正の内容】
【０００７】
本技術の一側面の画像表示装置は、広角動画から複数の範囲を切り出した複数の切り出し画像を同時に表示させる。
【手続補正５】
【補正対象書類名】明細書
【補正対象項目名】０００８
【補正方法】変更
【補正の内容】
【０００８】
前記複数の範囲を、前記広角動画の撮影時に検出されたセンサデータに基づき決定することができる。
【手続補正６】
【補正対象書類名】明細書
【補正対象項目名】０００９
【補正方法】変更
【補正の内容】
【０００９】
前記複数の範囲を、前記広角動画を撮影した撮影装置の進行方向に対応する範囲とすることができる。
【手続補正７】
【補正対象書類名】明細書
【補正対象項目名】００１０
【補正方法】変更
【補正の内容】
【００１０】
前記複数の範囲を、前記進行方向と反対の方向に対応する少なくとも１つの範囲を含むようにすることができる。
【手続補正８】
【補正対象書類名】明細書
【補正対象項目名】００１１
【補正方法】変更
【補正の内容】
【００１１】
前記複数の範囲を、音源の方向に対応する少なくとも１つの範囲を含むようにすることができる。
【手続補正９】
【補正対象書類名】明細書
【補正対象項目名】００１２
【補正方法】変更
【補正の内容】
【００１２】
前記複数の範囲を、前記音源の方向と反対の方向に対応する少なくとも１つの範囲を含むようにすることができる。
【手続補正１０】
【補正対象書類名】明細書
【補正対象項目名】００１３
【補正方法】変更
【補正の内容】
【００１３】
前記複数の範囲のうちの少なくとも２つの範囲が重なるようにすることができる。
【手続補正１１】
【補正対象書類名】明細書
【補正対象項目名】００１４
【補正方法】変更
【補正の内容】
【００１４】
前記複数の範囲のうちの少なくとも１つの範囲を、前記広角動画の撮影時の人の画像を含む範囲とすることができる。
【手続補正１２】
【補正対象書類名】明細書
【補正対象項目名】００１５
【補正方法】変更
【補正の内容】
【００１５】
前記複数の範囲のうちの少なくとも１つの範囲を、前記広角動画の撮影時の動きが大きい被写体を含む範囲とすることができる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本技術の一側面の画像表示方法は、広角動画から複数の範囲を切り出し、複数の切り出し画像を同時に表示するステップを含む。
【手続補正１７】
【補正対象書類名】明細書
【補正対象項目名】００２０
【補正方法】変更
【補正の内容】
【００２０】
本技術の一側面のプログラムは、広角動画から複数の範囲を切り出し、複数の切り出し画像を同時に表示するステップを含む処理をコンピュータに実行させる。
【手続補正１８】
【補正対象書類名】明細書
【補正対象項目名】００２１
【補正方法】変更
【補正の内容】
【００２１】
本技術の一側面においては、広角動画から複数の範囲が切り出され、複数の切り出し画像が同時に表示される。
【手続補正１９】
【補正対象書類名】明細書
【補正対象項目名】０３７９
【補正方法】削除
【補正の内容】
【手続補正２０】
【補正対象書類名】明細書
【補正対象項目名】０３８０
【補正方法】削除
【補正の内容】
【手続補正２１】
【補正対象書類名】明細書
【補正対象項目名】０３８１
【補正方法】削除
【補正の内容】
【手続補正２２】
【補正対象書類名】明細書
【補正対象項目名】０３８２
【補正方法】削除
【補正の内容】
【手続補正２３】
【補正対象書類名】明細書
【補正対象項目名】０３８３
【補正方法】削除
【補正の内容】
【手続補正２４】
【補正対象書類名】明細書
【補正対象項目名】０３８４
【補正方法】削除
【補正の内容】
【手続補正２５】
【補正対象書類名】明細書
【補正対象項目名】０３８５
【補正方法】削除
【補正の内容】
【手続補正２６】
【補正対象書類名】明細書
【補正対象項目名】０３８６
【補正方法】削除
【補正の内容】
【手続補正２７】
【補正対象書類名】明細書
【補正対象項目名】０３８７
【補正方法】削除
【補正の内容】
【手続補正２８】
【補正対象書類名】明細書
【補正対象項目名】０３８８
【補正方法】削除
【補正の内容】
【手続補正２９】
【補正対象書類名】明細書
【補正対象項目名】０３８９
【補正方法】削除
【補正の内容】
【手続補正３０】
【補正対象書類名】明細書
【補正対象項目名】０３９０
【補正方法】削除
【補正の内容】
【手続補正３１】
【補正対象書類名】明細書
【補正対象項目名】０３９１
【補正方法】削除
【補正の内容】
【手続補正３２】
【補正対象書類名】明細書
【補正対象項目名】０３９２
【補正方法】削除
【補正の内容】
【手続補正３３】
【補正対象書類名】明細書
【補正対象項目名】０３９３
【補正方法】削除
【補正の内容】